(57)【要約】【課題】アンテナの設置場所が、屋外であるか、或いは、屋内であるかを自動的に設定することにより、ユーザ等の負担が軽減できるアンテナシステム及びテレビジョン受像機を提供する。【解決手段】アンテナシステムＳを備えるＳＴＢ１００において、ＣＰＵ１４１に、アンテナ１を水平偏波受信モード又は垂直偏波受信モードに設定して、各モードにおけるアンテナシステムＳによるＴＶ放送信号の受信情報を取得させる取得プログラム１４３ｂ１と、当該取得された受信情報に基づいて、アンテナ１の設置場所を判定させる判定プログラム１４３ｂ２と、アンテナ１が屋外に設置されていると判定された場合には、屋外用受信プログラム１４３ａ１を設定させると共に、アンテナ１が屋内に設置されていると判定された場合には、屋内用受信プログラム１４３ａ２を設定させる設定プログラム１４３ｂ３と、を備えるよう構成した。【選択図】図２
2007089070.tif 000002
【特許請求の範囲】
【請求項１】
水平偏波及び垂直偏波に対応したアンテナを有し、デジタル方式のテレビジョン放送信号を受信するアンテナシステムを備えるテレビジョン受像機において、
前記アンテナシステムは、
前記アンテナが屋外に設置された際に、当該アンテナシステムにより前記テレビジョン放送信号を受信するための屋外用受信プログラムと、前記アンテナが屋内に設置された際に、当該アンテナシステムにより前記テレビジョン放送信号を受信するための屋内用受信プログラムと、を記憶する記憶手段と、
当該アンテナシステムにより受信可能な所定数のチャンネルに対応するテレビジョン放送信号毎に、前記アンテナを水平偏波受信モード又は垂直偏波受信モードに設定して、各モードにおける当該アンテナシステムによるテレビジョン放送信号の受信情報を取得する取得手段と、
前記取得手段により取得された水平偏波受信モード又は垂直偏波受信モードにおける受信情報に基づいて、前記アンテナが、屋外に設置されているか、或いは、屋内に設置されているかを判定する判定手段と、
前記取得手段により取得された所定数のチャンネルに対応するテレビジョン放送信号の受信情報に基づいて得られた前記判定手段による判定の結果のうち、前記アンテナが屋外に設置されているとの判定結果の数が、前記アンテナが屋内に設置されているとの判定結果の数よりも多い場合には、前記記憶手段に記憶される屋外用受信プログラムを設定すると共に、前記アンテナが屋内に設置されているとの判定結果の数が、前記アンテナが屋外に設置されているとの判定結果の数よりも多い場合には、前記記憶手段に記憶される屋内用受信プログラムを設定する設定手段と、
前記設定手段により設定された屋外用受信プログラム又は屋内用受信プログラムにより、当該アンテナシステムによるテレビジョン放送信号の受信制御を行う制御手段と、を備え、
前記取得手段により取得される受信情報は、前記アンテナを水平偏波受信モード又は垂直偏波受信モードに設定して、当該アンテナシステムによりテレビジョン放送信号が受信された際に取得される受信可能情報と、前記アンテナを水平偏波受信モードに設定して前記受信可能情報を取得した際に、当該アンテナシステムにより受信されたテレビジョン放送信号から取得される第１のエラーレートと、前記アンテナを垂直偏波受信モードに設定して前記受信可能情報を取得した際に、当該アンテナシステムにより受信されたテレビジョン放送信号から取得される第２のエラーレートと、を含み、
前記判定手段は、前記取得手段により前記アンテナが水平偏波受信モードに設定された際にのみ前記受信可能情報が取得された場合には、前記アンテナは屋外に設置されていると判定し、前記取得手段により前記アンテナが垂直偏波受信モードに設定された際にのみ前記受信可能情報が取得された場合には、前記アンテナは屋内に設置されていると判定し、前記取得手段により前記アンテナが水平偏波受信モードに設定された際及び垂直偏波受信モードに設定された際に前記受信可能情報が取得された場合には、前記取得手段により取得された前記第１のエラーレートから前記第２のエラーレートを引いた差を算出して、当該算出した差が所定の閾値よりも大きい場合には、前記アンテナは屋外に設置されていると判定し、当該算出した差が所定の閾値以下の場合には、前記アンテナは屋内に設置されていると判定することを特徴とするテレビジョン受像機。
【請求項２】
水平偏波及び垂直偏波に対応したアンテナを有し、デジタル方式のテレビジョン放送信号を受信するアンテナシステムにおいて、
前記アンテナが屋外に設置された際に、当該アンテナシステムにより前記テレビジョン放送信号を受信するための屋外用受信プログラムと、前記アンテナが屋内に設置された際に、当該アンテナシステムにより前記テレビジョン放送信号を受信するための屋内用受信プログラムと、を記憶する記憶手段と、
前記アンテナを水平偏波受信モード又は垂直偏波受信モードに設定して、各モードにおける当該アンテナシステムによるテレビジョン放送信号の受信情報を取得する取得手段と、
前記取得手段により取得された水平偏波受信モード又は垂直偏波受信モードにおける受信情報に基づいて、前記アンテナが、屋外に設置されているか、或いは、屋内に設置されているかを判定する判定手段と、
前記判定手段により、前記アンテナが屋外に設置されていると判定された場合には、前記記憶手段に記憶される屋外用受信プログラムを設定すると共に、前記判定手段により、前記アンテナが屋内に設置されていると判定された場合には、前記記憶手段に記憶される屋内用受信プログラムを設定する設定手段と、
前記設定手段により設定された屋外用受信プログラム又は屋内用受信プログラムにより、当該アンテナシステムによるテレビジョン放送信号の受信制御を行う制御手段と、
を備えることを特徴とするアンテナシステム。
【請求項３】
請求項２に記載のアンテナシステムにおいて、
前記取得手段により取得される受信情報は、前記アンテナを水平偏波受信モード又は垂直偏波受信モードに設定して、当該アンテナシステムによりテレビジョン放送信号が受信された際に取得される受信可能情報と、前記アンテナを水平偏波受信モードに設定して前記受信可能情報を取得した際に、当該アンテナシステムにより受信されたテレビジョン放送信号から取得される第１のエラーレートと、前記アンテナを垂直偏波受信モードに設定して前記受信可能情報を取得した際に、当該アンテナシステムにより受信されたテレビジョン放送信号から取得される第２のエラーレートと、を含み、
前記判定手段は、前記取得手段により前記アンテナが水平偏波受信モードに設定された際にのみ前記受信可能情報が取得された場合には、前記アンテナは屋外に設置されていると判定し、前記取得手段により前記アンテナが垂直偏波受信モードに設定された際にのみ前記受信可能情報が取得された場合には、前記アンテナは屋内に設置されていると判定し、前記取得手段により前記アンテナが水平偏波受信モードに設定された際及び垂直偏波受信モードに設定された際に前記受信可能情報が取得された場合には、前記取得手段により取得された前記第１のエラーレートから前記第２のエラーレートを引いた差を算出して、当該算出した差が所定の閾値よりも大きい場合には、前記アンテナは屋外に設置されていると判定し、当該算出した差が所定の閾値以下の場合には、前記アンテナは屋内に設置されていると判定することを特徴とするアンテナシステム。
【請求項４】
請求項３に記載のアンテナシステムにおいて、
前記取得手段は、当該アンテナシステムにより受信可能な所定数のチャンネルに対応するテレビジョン放送信号毎に、前記受信情報を取得し、
前記判定手段は、前記取得手段により取得された全ての受信情報に基づいて、前記判定を行い、
前記設定手段は、前記判定手段による前記判定の結果のうち、前記アンテナが屋外に設置されているとの判定結果の数が、前記アンテナが屋内に設置されているとの判定結果の数よりも多い場合には、前記記憶手段に記憶される屋外用受信プログラムを設定すると共に、前記アンテナが屋内に設置されているとの判定結果の数が、前記アンテナが屋外に設置されているとの判定結果の数よりも多い場合には、前記記憶手段に記憶される屋内用受信プログラムを設定することを特徴とするアンテナシステム。
【発明の詳細な説明】
【技術分野】
【０００１】
本発明は、アンテナシステム及びテレビジョン受像機に関する。
【背景技術】
【０００２】
アンテナシステムが有するアンテナが受信するテレビジョン放送信号は、水平偏波で送信されている。したがって、屋外ではテレビジョン放送信号を反射するものが少ないため、アンテナは、屋外に設置された際、水平偏波のテレビジョン放送信号を受信することとなる。一方、屋内ではテレビジョン放送信号を反射するものが多いため、アンテナは、屋内に設置された際、垂直偏波のテレビジョン放送信号を受信した方が好ましい場合がある。
【０００３】
そのため、水平偏波の信号や垂直偏波の信号を受信することができるアンテナが提案されている（例えば、特許文献１，２参照）。また、水平偏波の信号や垂直偏波の信号を送信することができるアンテナも提案されている（例えば、特許文献３参照）。
【特許文献１】特開２００５−１０２２０３号公報
【特許文献２】特開２００２−２６６０１号公報
【特許文献３】特開２００３−１７９４２８号公報
【発明の開示】
【発明が解決しようとする課題】
【０００４】
ところで、上述したように、アンテナの設置場所によって、当該アンテナが受信すべき最適なテレビジョン放送信号の偏り等は変わってくる。したがって、アンテナを屋外に設置した場合と屋内に設置した場合とで、使用すべき、最適信号の獲得や信号の復帰のための受信アルゴリズムが変わってくるため、予め、アンテナの設置場所を当該アンテナが接続されるテレビジョン受像機などに設定しておく必要があり、煩わしいという問題があった。また、このような設定は、ユーザにとって煩わしいだけでなく、例えば、ユーザが間違えて設定してしまったにも関わらず、映像が映らないなどの苦情によって、販売店やメーカにとっても余計な対応を迫られる可能性があった。
【０００５】
本発明の課題は、アンテナの設置場所が、屋外であるか、或いは、屋内であるかを自動的に設定することにより、ユーザ等の負担が軽減できるアンテナシステム及びテレビジョン受像機を提供することにある。
【課題を解決するための手段】
【０００６】
上記課題を解決するために、請求項１に記載の発明は、水平偏波及び垂直偏波に対応したアンテナを有し、デジタル方式のテレビジョン放送信号を受信するアンテナシステムを備えるテレビジョン受像機において、前記アンテナシステムは、前記アンテナが屋外に設置された際に、当該アンテナシステムにより前記テレビジョン放送信号を受信するための屋外用受信プログラムと、前記アンテナが屋内に設置された際に、当該アンテナシステムにより前記テレビジョン放送信号を受信するための屋内用受信プログラムと、を記憶する記憶手段と、当該アンテナシステムにより受信可能な所定数のチャンネルに対応するテレビジョン放送信号毎に、前記アンテナを水平偏波受信モード又は垂直偏波受信モードに設定して、各モードにおける当該アンテナシステムによるテレビジョン放送信号の受信情報を取得する取得手段と、前記取得手段により取得された水平偏波受信モード又は垂直偏波受信モードにおける受信情報に基づいて、前記アンテナが、屋外に設置されているか、或いは、屋内に設置されているかを判定する判定手段と、前記取得手段により取得された所定数のチャンネルに対応するテレビジョン放送信号の受信情報に基づいて得られた前記判定手段による判定の結果のうち、前記アンテナが屋外に設置されているとの判定結果の数
が、前記アンテナが屋内に設置されているとの判定結果の数よりも多い場合には、前記記憶手段に記憶される屋外用受信プログラムを設定すると共に、前記アンテナが屋内に設置されているとの判定結果の数が、前記アンテナが屋外に設置されているとの判定結果の数よりも多い場合には、前記記憶手段に記憶される屋内用受信プログラムを設定する設定手段と、前記設定手段により設定された屋外用受信プログラム又は屋内用受信プログラムにより、当該アンテナシステムによるテレビジョン放送信号の受信制御を行う制御手段と、を備え、前記取得手段により取得される受信情報は、前記アンテナを水平偏波受信モード又は垂直偏波受信モードに設定して、当該アンテナシステムによりテレビジョン放送信号が受信された際に取得される受信可能情報と、前記アンテナを水平偏波受信モードに設定して前記受信可能情報を取得した際に、当該アンテナシステムにより受信されたテレビジョン放送信号から取得される第１のエラーレートと、前記アンテナを垂直偏波受信モードに設定して前記受信可能情報を取得した際に、当該アンテナシステムにより受信されたテレビジョン放送信号から取得される第２のエラーレートと、を含み、前記判定手段は、前記取得手段により前記アンテナが水平偏波受信モードに設定された際にのみ前記受信可能情報が取得された場合には、前記アンテナは屋外に設置されていると判定し、前記取得手段により前記アンテナが垂直偏波受信モードに設定された際にのみ前記受信可能情報が取得された場合には、前記アンテナは屋内に設置されていると判定し、前記取得手段により前記アンテナが水平偏波受信モードに設定された際及び垂直偏波受信モードに設定された際に前記受信可能情報が取得された場合には、前記取得手段により取得された前記第１のエラーレートから前記第２のエラーレートを引いた差を算出して、当該算出した差が所定の閾値よりも大きい場合には、前記アンテナは屋外に設置されていると判定し、当該算出した差が所定の閾値以下の場合には、前記アンテナは屋内に設置されていると判定することを特徴とする。
【０００７】
請求項２に記載の発明は、水平偏波及び垂直偏波に対応したアンテナを有し、デジタル方式のテレビジョン放送信号を受信するアンテナシステムにおいて、前記アンテナが屋外に設置された際に、当該アンテナシステムにより前記テレビジョン放送信号を受信するための屋外用受信プログラムと、前記アンテナが屋内に設置された際に、当該アンテナシステムにより前記テレビジョン放送信号を受信するための屋内用受信プログラムと、を記憶する記憶手段と、前記アンテナを水平偏波受信モード又は垂直偏波受信モードに設定して、各モードにおける当該アンテナシステムによるテレビジョン放送信号の受信情報を取得する取得手段と、前記取得手段により取得された水平偏波受信モード又は垂直偏波受信モードにおける受信情報に基づいて、前記アンテナが、屋外に設置されているか、或いは、屋内に設置されているかを判定する判定手段と、前記判定手段により、前記アンテナが屋外に設置されていると判定された場合には、前記記憶手段に記憶される屋外用受信プログラムを設定すると共に、前記判定手段により、前記アンテナが屋内に設置されていると判定された場合には、前記記憶手段に記憶される屋内用受信プログラムを設定する設定手段と、前記設定手段により設定された屋外用受信プログラム又は屋内用受信プログラムにより、当該アンテナシステムによるテレビジョン放送信号の受信制御を行う制御手段と、を備えることを特徴とする。
【０００８】
請求項３に記載の発明は、請求項２に記載のアンテナシステムにおいて、前記取得手段により取得される受信情報は、前記アンテナを水平偏波受信モード又は垂直偏波受信モードに設定して、当該アンテナシステムによりテレビジョン放送信号が受信された際に取得される受信可能情報と、前記アンテナを水平偏波受信モードに設定して前記受信可能情報を取得した際に、当該アンテナシステムにより受信されたテレビジョン放送信号から取得される第１のエラーレートと、前記アンテナを垂直偏波受信モードに設定して前記受信可能情報を取得した際に、当該アンテナシステムにより受信されたテレビジョン放送信号から取得される第２のエラーレートと、を含み、前記判定手段は、前記取得手段により前記アンテナが水平偏波受信モードに設定された際にのみ前記受信可能情報が取得された場合
には、前記アンテナは屋外に設置されていると判定し、前記取得手段により前記アンテナが垂直偏波受信モードに設定された際にのみ前記受信可能情報が取得された場合には、前記アンテナは屋内に設置されていると判定し、前記取得手段により前記アンテナが水平偏波受信モードに設定された際及び垂直偏波受信モードに設定された際に前記受信可能情報が取得された場合には、前記取得手段により取得された前記第１のエラーレートから前記第２のエラーレートを引いた差を算出して、当該算出した差が所定の閾値よりも大きい場合には、前記アンテナは屋外に設置されていると判定し、当該算出した差が所定の閾値以下の場合には、前記アンテナは屋内に設置されていると判定することを特徴とする。
【０００９】
請求項４に記載の発明は、請求項３に記載のアンテナシステムにおいて、前記取得手段は、当該アンテナシステムにより受信可能な所定数のチャンネルに対応するテレビジョン放送信号毎に、前記受信情報を取得し、前記判定手段は、前記取得手段により取得された全ての受信情報に基づいて、前記判定を行い、前記設定手段は、前記判定手段による前記判定の結果のうち、前記アンテナが屋外に設置されているとの判定結果の数が、前記アンテナが屋内に設置されているとの判定結果の数よりも多い場合には、前記記憶手段に記憶される屋外用受信プログラムを設定すると共に、前記アンテナが屋内に設置されているとの判定結果の数が、前記アンテナが屋外に設置されているとの判定結果の数よりも多い場合には、前記記憶手段に記憶される屋内用受信プログラムを設定することを特徴とする。
【発明の効果】
【００１０】
請求項１に記載の発明によれば、取得手段によって、アンテナシステムにより受信可能な所定数のチャンネルに対応するテレビジョン放送信号毎に、アンテナを水平偏波受信モード又は垂直偏波受信モードに設定して、各モードにおけるアンテナシステムによるテレビジョン放送信号の受信情報を取得することができ、判定手段によって、取得手段により取得された水平偏波受信モード又は垂直偏波受信モードにおける受信情報に基づいて、アンテナが、屋外に設置されているか、或いは、屋内に設置されているかを判定することができ、設定手段によって、取得手段により取得された所定数のチャンネルに対応するテレビジョン放送信号の受信情報に基づいて得られた判定手段による判定の結果のうち、アンテナが屋外に設置されているとの判定結果の数が、アンテナが屋内に設置されているとの判定結果の数よりも多い場合には、記憶手段に記憶される屋外用受信プログラムを設定すると共に、アンテナが屋内に設置されているとの判定結果の数が、アンテナが屋外に設置されているとの判定結果の数よりも多い場合には、記憶手段に記憶される屋内用受信プログラムを設定することができ、制御手段によって、設定手段により設定された屋外用受信プログラム又は屋内用受信プログラムにより、アンテナシステムによるテレビジョン放送信号の受信制御を行うことができる。したがって、アンテナの設置場所が、屋外であるか、或いは、屋内であるかを自動的に設定することができるため、ユーザ等の負担を軽減することができる。また、数多くの判定結果に基づいて、アンテナの設置場所を判定するため、正確にアンテナの設置場所を判定することができる。さらに、アンテナの設置場所に応じた最適な受信プログラムを設定して使用することができるため、アンテナの受信性能が向上する。
【００１１】
また、判定手段によって、取得手段によりアンテナが水平偏波受信モードに設定された際にのみ受信可能情報が取得された場合には、アンテナは屋外に設置されていると判定し、取得手段によりアンテナが垂直偏波受信モードに設定された際にのみ受信可能情報が取得された場合には、アンテナは屋内に設置されていると判定し、取得手段によりアンテナが水平偏波受信モードに設定された際及び垂直偏波受信モードに設定された際に受信可能情報が取得された場合には、取得手段により取得された第１のエラーレートから第２のエラーレートを引いた差を算出して、当該算出した差が所定の閾値よりも大きい場合には、アンテナは屋外に設置されていると判定し、当該算出した差が所定の閾値以下の場合には、アンテナは屋内に設置されていると判定することができる。すなわち、アンテナシステムがテレビジョン放送信号を受信したか否かの実地検査に基づいて、さらに、デジタルテ
レビジョン放送を良好に視聴することができるか否かに関わるエラーレートに基づいて、アンテナの設置場所を判定するため、より正確にアンテナの設置場所を判定することができる。
【００１２】
請求項２に記載の発明によれば、取得手段によって、アンテナを水平偏波受信モード又は垂直偏波受信モードに設定して、各モードにおけるアンテナシステムによるテレビジョン放送信号の受信情報を取得することができ、判定手段によって、取得手段により取得された水平偏波受信モード又は垂直偏波受信モードにおける受信情報に基づいて、アンテナが、屋外に設置されているか、或いは、屋内に設置されているかを判定することができ、設定手段によって、判定手段により、アンテナが屋外に設置されていると判定された場合には、記憶手段に記憶される屋外用受信プログラムを設定すると共に、判定手段により、アンテナが屋内に設置されていると判定された場合には、記憶手段に記憶される屋内用受信プログラムを設定することができ、制御手段によって、設定手段により設定された屋外用受信プログラム又は屋内用受信プログラムにより、アンテナシステムによるテレビジョン放送信号の受信制御を行うことができる。したがって、アンテナの設置場所が、屋外であるか、或いは、屋内であるかを自動的に設定することができるため、ユーザ等の負担を軽減することができる。また、アンテナの設置場所に応じた最適な受信プログラムを設定して使用することができるため、アンテナの受信性能が向上する。
【００１３】
請求項３に記載の発明によれば、請求項２に記載の発明と同様の効果が得られることは無論のこと、判定手段によって、取得手段によりアンテナが水平偏波受信モードに設定された際にのみ受信可能情報が取得された場合には、アンテナは屋外に設置されていると判定し、取得手段によりアンテナが垂直偏波受信モードに設定された際にのみ受信可能情報が取得された場合には、アンテナは屋内に設置されていると判定し、取得手段によりアンテナが水平偏波受信モードに設定された際及び垂直偏波受信モードに設定された際に受信可能情報が取得された場合には、取得手段により取得された第１のエラーレートから第２のエラーレートを引いた差を算出して、当該算出した差が所定の閾値よりも大きい場合には、アンテナは屋外に設置されていると判定し、当該算出した差が所定の閾値以下の場合には、アンテナは屋内に設置されていると判定することができる。すなわち、アンテナシステムがテレビジョン放送信号を受信したか否かの実地検査に基づいて、さらに、デジタルテレビジョン放送を良好に視聴することができるか否かに関わるエラーレートに基づいて、アンテナの設置場所を判定するため、正確にアンテナの設置場所を判定することができる。
【００１４】
請求項４に記載の発明によれば、請求項３に記載の発明と同様の効果が得られることは無論のこと、取得手段によって、アンテナシステムにより受信可能な所定数のチャンネルに対応するテレビジョン放送信号毎に、受信情報を取得することができ、判定手段によって、取得手段により取得された全ての受信情報に基づいて、判定を行うことができ、設定手段によって、判定手段による判定の結果のうち、アンテナが屋外に設置されているとの判定結果の数が、アンテナが屋内に設置されているとの判定結果の数よりも多い場合には、記憶手段に記憶される屋外用受信プログラムを設定すると共に、アンテナが屋内に設置されているとの判定結果の数が、アンテナが屋外に設置されているとの判定結果の数よりも多い場合には、記憶手段に記憶される屋内用受信プログラムを設定することができる。すなわち、数多くの判定結果に基づいて、アンテナの設置場所を判定するため、より正確にアンテナの設置場所を判定することができる。
【発明を実施するための最良の形態】
【００１５】
以下、図を参照して、本発明にかかるアンテナシステム及びテレビジョン受像機の最良の形態を詳細に説明する。なお、発明の範囲は、図示例に限定されない。
【００１６】
本実施形態では、テレビジョン受像機としてセットトップボックス（以下、「ＳＴＢ」
という。）を例示して説明することとする。
＜アンテナの本体の構成＞
まず、アンテナシステムＳが備えるアンテナ１の本体２の構成について、図１を参照して説明する。
【００１７】
なお、アンテナ１は、例えば、水平に配された水平偏波用アンテナ１Ａと、互いに直交し、且つ、水平偏波用アンテナ１Ａに対して垂直に配された２つの垂直偏波用アンテナ（図示省略）と、によって構成されている。水平偏波用アンテナ１Ａと、垂直偏波用アンテナとは、構成が略同一であるため、図１においては、水平偏波用アンテナ１Ａを例示して説明することとする。
【００１８】
水平偏波用アンテナ１Ａの本体２は、略八角形状に形成された偏平なものである。本体２は、９０度間隔毎に、凸に湾曲した凸縁部４ａ〜４ｄを有し、凸縁部４ａ〜４ｄ間それぞれを繋ぐように、凹に湾曲した凹縁部６ａ〜６ｄを有している。
【００１９】
本体２内には、複数組、例えば、４組のＵＨＦ帯用八木形アンテナ８ａ〜８ｄが配置されている。八木形アンテナ８ａ〜８ｄは、例えば、４７０ＭＨｚ〜８６０ＭＨｚのＵＨＦ帯でのアメリカテレビジョン放送信号受信用のものである。
【００２０】
八木形アンテナ８ａ〜８ｄのうちの２つの八木形アンテナ８ａ，８ｃは、１つの平面、例えば、水平面上において、対向する２つの凸縁部４ａ，４ｃ間を繋ぐ直線１０ａに沿って配置されている。残りの２つの八木形アンテナ８ｂ，８ｄは、八木形アンテナ８ａ，８ｃが配置された水平面とは異なる高さ位置（例えば、下側位置）にある水平面上において、直線１０ａと直交する直線１０ｂに沿って配置されている。
【００２１】
八木形アンテナ８ａ，８ｃは、凸縁部４ａ，４ｃ近傍の本体２内に、導波器１２ａ，１２ｃを有している。導波器１２ａ，１２ｃは、同一の大きさの平板形状に形成され、その表面が水平に位置するように、且つ、直線１０ａ上にこれと直交するように配置されている。
【００２２】
導波器１２ａ，１２ｃよりも更に内側位置には、放射器１４ａ，１４ｃが配置されている。放射器１４ａ，１４ｃは、直線１０ａの両側に給電点を有している。放射器１４ａは、給電点から直線１０ａに略直交するように、外方に向かって伸延し、凹縁部６ａ，６ｄ近傍において内側に湾曲させられ、そのまま凹縁部６ａ，６ｄに沿って凸縁部４ｂ，４ｄ近傍まで伸延している。放射器１４ｃも、同様に構成されている。
【００２３】
放射器１４ａ，１４ｃは、平板形状に形成されている。放射器１４ａ，１４ｃは、導波器１２ａ，１２ｃがその表面を水平に配置されているのに対し、表面が垂直に配置されている。そして、放射器１４ａ，１４ｃの上縁部は、導波器１２ａ，１２ｃとほぼ同一の高さ位置にある。
【００２４】
放射器１４ａ，１４ｃよりも更に内側位置には、反射器１６ａ，１６ｃが配置されている。反射器１６ａは、直線１０ａの両側に直線部を有し、この直線部の内方端部から導波器１２ａ側に向かって湾曲した湾曲部を有している。反射器１６ｃも、同様に構成されている。
【００２５】
反射器１６ａ，１６ｃは、平板形状に形成され、導波器１２ａ，１２ｃと同一の高さ位置に配置されている。
【００２６】
八木形アンテナ８ｂ，８ｄも、八木形アンテナ８ａ，８ｃと同様、導波器１２ｂ，１２ｄ、放射器１４ｂ，１４ｄ、反射器１６ｂ，１６ｄを有している。
【００２７】
八木形アンテナ８ｂ，８ｄは、八木形アンテナ８ａ、８ｃと直交するように、且つ、非
接触状態となるように配置されていると共に、八木形アンテナ８ａ，８ｃが配置された水平面とは異なる高さ位置（例えば、下側位置）にある水平面上に配置されている。
【００２８】
具体的には、放射器１４ａは、放射器１４ｂ，１４ｄと非接触状態で一部交差し、放射器１４ｂは、放射器１４ａ，１４ｃと非接触状態で一部交差し、放射器１４ｃは、放射器１４ｂ，１４ｄと非接触状態で一部交差し、放射器１４ｄは、放射器１４ａ，１４ｃと非接触状態で一部交差している。同様に、反射器１６ａは、反射器１６ｂ，１６ｄと非接触状態で一部交差し、反射器１６ｂは、反射器１６ａ，１６ｃと非接触状態で一部交差し、反射器１６ｃは、反射器１６ｂ，１６ｄと非接触状態で一部交差し、反射器１６ｄは、反射器１６ａ，１６ｃと非接触状態で一部交差している。さらに、反射器１６ａは、放射器１４ｂ，１４ｄ及び導波器１２ｂ，１２ｄと非接触状態で一部交差し、反射器１６ｂは、放射器１４ａ，１４ｃ及び導波器１２ａ，１２ｃと非接触状態で一部交差し、反射器１６ｃは、放射器１４ｂ，１４ｄ及び導波器１２ｂ，１２ｄと非接触状態で一部交差し、反射器１６ｄは、放射器１４ａ，１４ｃ及び導波器１２ａ，１２ｃと非接触状態で一部交差している。
【００２９】
本体２内には、４本以上の偶数本、例えば、４本のロッドアンテナ１８ａ〜１８ｄが配置されている。ロッドアンテナ１８ａ〜１８ｄによって、ＶＨＦ帯用の１つの組合せアンテナが構成されている。ロッドアンテナ１８ａ〜１８ｄは、５４ＭＨｚ〜８８ＭＨｚ、１７４ＭＨｚ〜２１６ＭＨｚのアメリカテレビジョン放送信号受信用のものである。
【００３０】
ロッドアンテナ１８ａ〜１８ｄは、八木形アンテナ８ａ，８ｃが設けられている面と、八木形アンテナ８ｂ，８ｄが設けられている面との間の一つの水平面内に配置されている。この水平面内における直線１０ａに沿って、ロッドアンテナ１８ａ，１８ｃが配置され、この水平面内における直線１０ｂに沿って、ロッドアンテナ１８ｂ，１８ｄが配置されている。そして、ロッドアンテナ１８ａ〜１８ｄは、凸縁部４ａ〜４ｄそれぞれから外方に向かって伸張することができるようになっている。
【００３１】
ロッドアンテナ１８ａ〜１８ｄは、その内方端部に、それぞれ２つの給電端子を有している。
＜ＳＴＢの構成＞
次に、ＳＴＢ１００の構成について、図２を参照して説明する。
【００３２】
ＳＴＢ１００は、水平偏波及び垂直偏波に対応したアンテナ１を有し、デジタル方式のテレビジョン放送信号（以下、「ＴＶ放送信号」という。）を受信するアンテナシステムＳを備えると共に、出力装置２００を接続している。
【００３３】
具体的には、ＳＴＢ１００は、例えば、図２に示すように、アンテナ１を有するチューナ１１０と、デコーダ１２０と、ＯＳＤ回路１３０と、制御部１４０と、などを備えて構成される。各部は、バスＢによって接続されている。そして、ＳＴＢ１００は、出力装置２００を接続している。
【００３４】
ここで、アンテナシステムＳは、アンテナ１を有するチューナ１１０と、制御部１４０と、を備えて構成されている。
【００３５】
アンテナ１は、例えば、デジタル方式の水平偏波及び垂直偏波のＴＶ放送信号（テレビジョン放送波）に対応している。
【００３６】
なお、アンテナ１は、制御部１４０により、例えば、偏波面が切り替えられて、すなわち、ＴＶ放送信号受信可能なアンテナが水平偏波用アンテナ１Ａ又は垂直偏波用アンテナ（図示省略）に切り替えられて、水平偏波のＴＶ放送信号のみを受信するモード（以下、「水平偏波受信モード」という。）、或いは、垂直偏波のＴＶ放送信号のみを受信するモード（以下、「垂直偏波受信モード」という。）に設定されるようになっている。そして、アンテナ１は、水平偏波設定モードに設定されている際には、垂直偏波のＴＶ放送信号が到来しても受信せず、垂直偏波受信モードに設定されている際には、水平偏波のＴＶ放送信号が到来しても受信しないようになっている。
【００３７】
チューナ１１０は、例えば、制御部１４０からの指示に従って、アンテナ１により受信されたデジタル方式の水平偏波又は垂直偏波のＴＶ放送信号の中から、ユーザ所望の放送番組のチャンネルに対応する周波数帯域に存在するデジタル方式のＴＶ放送信号を受信し、当該受信したＴＶ放送信号を中間周波信号に変換して出力する。
【００３８】
ここで、アンテナ１には指向性がある。アンテナ１及びチューナ１１０は、EIA/CEA-909などの所定の規格に準拠しており、例えば、制御部１４０からの指示に従って、最適な
方向（例えば、１６方向のうちの１方向）から到来した最適な偏波（水平偏波又は垂直偏波）のＴＶ放送信号の中から一のチャンネルに対応するＴＶ放送信号を受信することができるようになっている。アンテナ１及びチューナ１１０により受信可能なチャンネルは、例えば、２ｃｈ〜６９ｃｈである。
【００３９】
デコーダ１２０は、例えば、制御部１４０からの指示に従って、チューナ１１０から出力されたＴＶ放送信号をデコードして映像信号を生成し、当該生成した映像信号を出力する。
【００４０】
ＯＳＤ回路１３０は、例えば、出力装置２００の画像表示部２１０（後述）に所定のオンスクリーンディスプレイ（以下、「ＯＳＤ」という。）表示を表示させる。
【００４１】
具体的には、ＯＳＤ回路１３０は、例えば、制御部１４０からの指示に従って、受信可能なチャンネル情報などに関する所定の一覧表示（ＯＳＤ表示）を画像表示部２１０に表示させるためのＯＳＤ表示信号を出力装置２００に出力する。
【００４２】
制御部１４０は、例えば、図２に示すように、ＣＰＵ（Central Processing Unit）１
４１と、ＲＡＭ（Random Access Memory）１４２と、ＲＯＭ（Read Only Memory）１４３と、などを備えている。
【００４３】
ＣＰＵ１４１は、ＲＯＭ１４３に記憶されたＳＴＢ１００用の各種処理プログラムに従って、各種の制御動作を行う。
【００４４】
ＲＡＭ１４２は、ＣＰＵ１４１によって実行される処理プログラムなどを展開するためのプログラム格納領域や、入力データや上記処理プログラムが実行される際に生じる処理結果などを格納するデータ格納領域などを備える。
【００４５】
ＲＯＭ１４３は、ＳＴＢ１００で実行可能なシステムプログラム、当該システムプログラムで実行可能な各種処理プログラム、これら各種処理プログラムを実行する際に使用されるデータ、ＣＰＵ１４１によって演算処理された各種結果のデータなどを記憶する。なお、プログラムは、コンピュータが読み取り可能なプログラムコードの形でＲＯＭ１４３に記憶されている。
【００４６】
具体的には、ＲＯＭ１４３は、記憶手段として、屋外用受信プログラム１４３ａ１と、屋内用受信プログラム１４３ａ２と、を記憶している。また、ＲＯＭ１４３は、取得プログラム１４３ｂ１と、判定プログラム１４３ｂ２と、設定プログラム１４３ｂ３と、制御プログラム１４３ｂ４と、などを記憶している。
【００４７】
屋外用受信プログラム１４３ａ１は、アンテナ１が屋外に設置された際に、アンテナシステムＳによりＴＶ放送信号を受信するための受信アルゴリズムをプログラミングしたものである。
【００４８】
屋内用受信プログラム１４３ａ２は、アンテナ１が屋内に設置された際に、アンテナシステムＳによりＴＶ放送信号を受信するための受信アルゴリズムをプログラミングしたものである。
【００４９】
具体的には、屋外用受信プログラム１４３ａ１及び屋内用受信プログラム１４３ａ２は、アンテナ１及びチューナ１１０に、最適信号を獲得させたり、或いは、信号を復帰させるための受信プログラムであって、ＳＴＢ１００における初期設定に関する処理以降の通常動作時に、制御プログラム１４３ｂ４を実行したＣＰＵ１４１（後述）によって使用される。
【００５０】
取得プログラム１４３ｂ１は、ＣＰＵ１４１に、アンテナ１を水平偏波受信モード又は垂直偏波受信モードに設定して、各モードにおけるアンテナシステムＳによるＴＶ放送信号の受信情報を取得する機能を実現させる。
【００５１】
なお、ＣＰＵ１４１は、アンテナシステムＳ（アンテナ１及びチューナ１１０）により受信可能な所定数のチャンネル（例えば、全てのチャンネル（例えば、２ｃｈ〜６９ｃｈ））に対応するＴＶ放送信号毎に、受信情報を取得することとする。
【００５２】
ここで、受信情報には、受信可能情報と、第１のエラーレートとしての水平ビットエラーレート（以下、「水平ＢＥＲ」という。）と、第２のエラーレートとしての垂直ビットエラーレート（以下、「垂直ＢＥＲ」という。）と、が含まれる。
【００５３】
受信可能情報は、ＣＰＵ１４１がアンテナ１を水平偏波受信モード又は垂直偏波受信モードに設定して、アンテナ１及びチューナ１１０により一のチャンネルに対応するＴＶ放送信号が受信された際に、ＣＰＵ１４１により取得される。
【００５４】
水平ＢＥＲは、ＣＰＵ１４１がアンテナ１を水平偏波受信モードに設定して受信可能情報を取得した際に、ＣＰＵ１４１により、アンテナ１及びチューナ１１０により受信された一のチャンネルに対応するＴＶ放送信号から取得される。具体的には、ＣＰＵ１４１がアンテナ１を水平偏波受信モードに設定して受信可能情報を取得し、チューナ１１０においてアンテナ１及びチューナ１１０により受信されたＴＶ放送信号から水平ＢＥＲが生成されると、ＣＰＵ１４１は、チューナ１１０から、当該生成された水平ＢＥＲを取得する。そして、ＣＰＵ１４１は、当該取得した水平ＢＥＲが所定値よりも大きいか否かを判断する。
【００５５】
垂直ＢＥＲは、ＣＰＵ１４１がアンテナ１を垂直偏波受信モードに設定して受信可能情報を取得した際に、ＣＰＵ１４１により、アンテナ１及びチューナ１１０により受信された一のチャンネルに対応するＴＶ放送信号から取得される。具体的には、ＣＰＵ１４１がアンテナ１を垂直偏波受信モードに設定して受信可能情報を取得し、チューナ１１０においてアンテナ１及びチューナ１１０により受信されたＴＶ放送信号から垂直ＢＥＲが生成されると、ＣＰＵ１４１は、チューナ１１０から、当該生成された垂直ＢＥＲを取得する。そして、ＣＰＵ１４１は、当該取得した垂直ＢＥＲが所定値よりも大きいか否かを判断する。
【００５６】
ＣＰＵ１４１は、かかる取得プログラム１４３ｂ１を実行することによって、取得手段として機能する。
【００５７】
判定プログラム１４２ｂ２は、ＣＰＵ１４１に、取得プログラム１４３ｂ１を実行したＣＰＵ１４１により取得された水平偏波受信モード又は垂直偏波受信モードにおける受信情報に基づいて、アンテナ１が、屋外に設置されているか、或いは、屋内に設置されているかを判定する機能を実現させる。
【００５８】
なお、ＣＰＵ１４１は、取得プログラム１４３ｂ１を実行したＣＰＵ１４１により取得された全ての受信情報に基づいて、判定を行うこととする。
【００５９】
具体的には、ＣＰＵ１４１は、取得プログラム１４３ｂ１を実行したＣＰＵ１４１によりアンテナ１が水平偏波受信モードに設定された際に、アンテナ１及びチューナ１１０により一のチャンネルに対応するＴＶ放送信号が受信され、アンテナ１が垂直偏波受信モードに設定された際に、アンテナ１及びチューナ１１０により当該一のチャンネルに対応するＴＶ放送信号が受信されなかった場合（すなわち、取得プログラム１４３ｂ１を実行したＣＰＵ１４１により、アンテナ１が水平偏波受信モードに設定された際にのみ受信可能情報が取得された場合）であり、且つ、取得プログラム１４３ｂ１を実行したＣＰＵ１４
１により取得された水平ＢＥＲが所定値よりも大きいと判断された場合には、アンテナ１は屋外に設置されていると判定する。
【００６０】
また、ＣＰＵ１４１は、取得プログラム１４３ｂ１を実行したＣＰＵ１４１によりアンテナ１が水平偏波受信モードに設定された際に、アンテナ１及びチューナ１１０により一のチャンネルに対応するＴＶ放送信号が受信されず、アンテナ１が垂直偏波受信モードに設定された際に、アンテナ１及びチューナ１１０により当該一のチャンネルに対応するＴＶ放送信号が受信された場合（すなわち、取得プログラム１４３ｂ１を実行したＣＰＵ１４１により、アンテナ１が垂直偏波受信モードに設定された際にのみ受信可能情報が取得された場合）であり、且つ、取得プログラム１４３ｂ１を実行したＣＰＵ１４１により取得された垂直ＢＥＲが所定値よりも大きいと判断された場合には、アンテナ１は屋内に設置されていると判定する。
【００６１】
また、ＣＰＵ１４１は、取得プログラム１４３ｂ１を実行したＣＰＵ１４１によりアンテナ１が水平偏波受信モードに設定された際に、アンテナ１及びチューナ１１０により一のチャンネルに対応するＴＶ放送信号が受信され、アンテナ１が垂直偏波受信モードに設定された際に、アンテナ１及びチューナ１１０により当該一のチャンネルに対応するＴＶ放送信号が受信された場合（すなわち、取得プログラム１４３ｂ１を実行したＣＰＵ１４１により、アンテナ１が水平偏波受信モードに設定された際及び垂直偏波受信モードに設定された際に受信可能情報が取得された場合）であり、且つ、取得プログラム１４３ｂ１を実行したＣＰＵ１４１により取得された水平ＢＥＲ及び垂直ＢＥＲが所定値よりも大きいと判断された場合には、当該取得された水平ＢＥＲから当該取得された垂直ＢＥＲを引いた差を算出して、当該算出した差が所定の閾値よりも大きい場合には、アンテナ１は屋外に設置されていると判定し、当該算出した差が所定の閾値以下の場合には、アンテナ１は屋内に設置されていると判定する。
【００６２】
ＣＰＵ１４１は、かかる判定プログラム１４３ｂ２を実行することによって、判定手段として機能する。
【００６３】
設定プログラム１４３ｂ３は、ＣＰＵ１４１に、判定プログラム１４３ｂ２を実行したＣＰＵ１４１により、アンテナ１が屋外に設置されていると判定された場合には、ＲＯＭ１４３に記憶される屋外用受信プログラム１４３ａ１を設定すると共に、判定プログラム１４３ｂ２を実行したＣＰＵ１４１により、アンテナ１が屋内に設置されていると判定された場合には、ＲＯＭ１４３に記憶される屋内用受信プログラム１４３ａ２を設定する機能を実現させる。
【００６４】
具体的には、ＣＰＵ１４１は、取得プログラム１４３ｂ１を実行したＣＰＵ１４１により取得された所定数のチャンネルに対応するＴＶ放送信号の受信情報に基づいて得られた判定プログラム１４３ｂ２を実行したＣＰＵ１４１による判定の結果のうち、アンテナ１が屋外に設置されているとの判定結果の数が、アンテナ１が屋内に設置されているとの判定結果の数よりも多い場合には、ＲＯＭ１４３に記憶される屋外用受信プログラム１４３ａ１を設定すると共に、アンテナ１が屋内に設置されているとの判定結果の数が、アンテナ１が屋外に設置されているとの判定結果の数よりも多い場合には、ＲＯＭ１４３に記憶される屋内用受信プログラム１４３ａ２を設定する。
【００６５】
ＣＰＵ１４１は、かかる設定プログラム１４３ｂ３を実行することによって、設定手段として機能する。
【００６６】
制御プログラム１４３ｂ４は、ＣＰＵ１４１に、設定プログラム１４３ｂ３を実行したＣＰＵ１４１により設定された屋外用受信プログラム１４３ａ１又は屋内用受信プログラム１４３ａ２により、アンテナシステムＳによるＴＶ放送信号の受信制御を行う機能を実現させる。
【００６７】
なお、ＣＰＵ１４１は、ＳＴＢ１００における初期設定に関する処理以降の通常動作時に、制御プログラム１４３ｂ４を実行して、アンテナ１及びチューナ１１０によるＴＶ放送信号の受信を制御することとする。
【００６８】
ＣＰＵ１４１は、かかる制御プログラム１４３ｂ４を実行することによって、制御手段として機能する。
【００６９】
ＳＴＢ１００が接続する出力装置２００は、例えば、図２に示すように、画像表示部２１０と、音声出力部２２０と、などを備えている。
【００７０】
画像表示部２１０は、例えば、液晶表示機器などであり、デコーダ１２０から出力された映像信号に基づく画像データに応じた画像、或いは、デコーダ１２０から出力された映像信号とＯＳＤ回路１３０により付加されたＯＳＤ表示信号とに基づく画像データに応じた画像を表示する。
【００７１】
音声出力部２２０は、例えば、スピーカ機器などであり、デコーダ１２０から出力された映像信号に基づく音声データに応じた音声を出力する。
＜受信プログラム設定処理＞
次に、ＳＴＢ１００による受信プログラムの設定に関する処理について、図３のフローチャートを参照して説明する。
【００７２】
なお、当該受信プログラム設定処理は、例えば、ＳＴＢ１００における初期設定に関する処理のうちの１つである。具体的には、ＳＴＢ１００における初期設定に関する処理の際の、例えば、受信可能チャンネル選局時に、自動的に実行される。
【００７３】
まず、ＣＰＵ１４１は、アンテナ１及びチューナ１１０により受信可能な全てのチャンネルに対応するＴＶ放送信号毎に、ループＡの処理を繰り返して行う（ステップＳ１１〜Ｓ３１）。
【００７４】
具体的には、一のチャンネルにおけるループＡの処理では、まず、ＣＰＵ１４１は、取得プログラム１４３ｂ１を実行して、アンテナ１を水平偏波受信モードに設定し（ステップＳ１２）、アンテナ１及びチューナ１１０による当該一のチャンネルに対応するＴＶ放送信号の受信に最適な方向を検索する（ステップＳ１３）。
【００７５】
次いで、ＣＰＵ１４１は、判定プログラム１４３ｂ２を実行して、ステップＳ１３での最適方向の検索の際に、取得プログラム１４３ｂ１を実行したＣＰＵ１４１が受信可能情報を取得したか否かを判定する（ステップＳ１４）。
【００７６】
ステップＳ１４で、受信可能情報を取得していないと判定すると（ステップＳ１４；Ｎｏ）、すなわち、ステップＳ１３での最適方向の検索の際に、アンテナ１及びチューナ１１０により当該一のチャンネルに対応するＴＶ放送信号が受信されなかった場合には、ＣＰＵ１４１は、取得プログラム１４３ｂ１を実行して、アンテナ１を垂直偏波受信モードに設定し（ステップＳ１５）、アンテナ１及びチューナ１１０による当該一のチャンネルに対応するＴＶ放送信号の受信に最適な方向を検索する（ステップＳ１６）。
【００７７】
次いで、ＣＰＵ１４１は、判定プログラム１４３ｂ２を実行して、ステップＳ１６での最適方向の検索の際に、取得プログラム１４３ｂ１を実行したＣＰＵ１４１が受信可能情報を取得したか否かを判定する（ステップＳ１７）。
【００７８】
ステップＳ１７で、受信可能情報を取得していないと判定すると（ステップＳ１７；Ｎｏ）、すなわち、ステップＳ１６での最適方向の検索の際に、アンテナ１及びチューナ１１０により当該一のチャンネルに対応するＴＶ放送信号が受信されなかった場合には、ＣＰＵ１４１は、アンテナ１及びチューナ１１０による当該一のチャンネルに対応するＴＶ放送信号の受信は不可能であると判定し（ステップＳ１８）、当該判定結果を、ＲＡＭ１４２に記憶させた後、当該一のチャンネルにおけるループＡの処理を終了する（ステップＳ３１）。
【００７９】
一方、ステップＳ１７で、受信可能情報を取得したと判定すると（ステップＳ１７；Ｙｅｓ）、すなわち、ステップＳ１６での最適方向の検索の際に、アンテナ１及びチューナ１１０により当該一のチャンネルに対応するＴＶ放送信号が受信された場合には、ＣＰＵ１４１は、取得プログラム１４３ｂ１を実行して、アンテナ１及びチューナ１１０により受信されたＴＶ放送信号から、垂直ＢＥＲを取得し（ステップＳ１９）、当該取得した垂直ＢＥＲが所定値よりも大きいか否かを判断する（ステップＳ２０）。
【００８０】
ステップＳ２０で、垂直ＢＥＲが所定値よりも大きくないと判断した場合には（ステップＳ２０；Ｎｏ）、ＣＰＵ１４１は、ステップＳ１８の処理に移行する。
【００８１】
一方、ステップＳ２０で、垂直ＢＥＲが所定値よりも大きいと判断した場合には（ステップＳ２０；Ｙｅｓ）、ＣＰＵ１４１は、アンテナ１は屋内に設置されていると判定し（ステップＳ２１）、当該判定結果を、ＲＡＭ１４２に記憶させた後、当該一のチャンネルにおけるループＡの処理を終了する（ステップＳ３１）。
【００８２】
また、ステップＳ１４で、受信可能情報を取得したと判定すると（ステップＳ１４；Ｙｅｓ）、すなわち、ステップＳ１３での最適方向の検索の際に、アンテナ１及びチューナ１１０により当該一のチャンネルに対応するＴＶ放送信号が受信された場合には、ＣＰＵ１４１は、取得プログラム１４３ｂ１を実行して、アンテナ１及びチューナ１１０により受信されたＴＶ放送信号から、水平ＢＥＲを取得し（ステップＳ２２）、当該取得した水平ＢＥＲが所定値よりも大きいか否かを判断する（ステップＳ２３）。
【００８３】
ステップＳ２３で、水平ＢＥＲが所定値よりも大きくないと判断した場合には（ステップＳ２３；Ｎｏ）、ＣＰＵ１４１は、ステップＳ１５の処理に移行する。
【００８４】
一方、ステップＳ２３で、水平ＢＥＲが所定値よりも大きいと判断した場合には（ステップＳ２３；Ｙｅｓ）、ＣＰＵ１４１は、アンテナ１を垂直偏波受信モードに設定し（ステップＳ２４）、アンテナ１及びチューナ１１０による当該一のチャンネルに対応するＴＶ放送信号の受信に最適な方向を検索する（ステップＳ２５）。
【００８５】
次いで、ＣＰＵ１４１は、判定プログラム１４３ｂ２を実行して、ステップＳ２５での最適方向の検索の際に、取得プログラム１４３ｂ１を実行したＣＰＵ１４１が受信可能情報を取得したか否かを判定する（ステップＳ２６）。
【００８６】
ステップＳ２６で、受信可能情報を取得していないと判定すると（ステップＳ２６；Ｎｏ）、すなわち、ステップＳ２５での最適方向の検索の際に、アンテナ１及びチューナ１１０により当該一のチャンネルに対応するＴＶ放送信号が受信されなかった場合には、ＣＰＵ１４１は、ステップＳ３０の処理に移行する。
【００８７】
一方、ステップＳ２６で、受信可能情報を取得したと判定すると（ステップＳ２６；Ｙｅｓ）、すなわち、ステップＳ２５での最適方向の検索の際に、アンテナ１及びチューナ１１０により当該一のチャンネルに対応するＴＶ放送信号が受信された場合には、ＣＰＵ１４１は、取得プログラム１４３ｂ１を実行して、アンテナ１及びチューナ１１０により受信されたＴＶ放送信号から、垂直ＢＥＲを取得し（ステップＳ２７）、当該取得した垂直ＢＥＲが所定値よりも大きいか否かを判断する（ステップＳ２８）。
【００８８】
ステップＳ２８で、垂直ＢＥＲが所定値よりも大きくないと判断した場合には（ステップＳ２８；Ｎｏ）、ＣＰＵ１４１は、ステップＳ３０の処理に移行する。
【００８９】
一方、ステップＳ２８で、垂直ＢＥＲが所定値よりも大きいと判断した場合には（ステップＳ２８；Ｙｅｓ）、ＣＰＵ１４１は、判定プログラム１４３ｂ２を実行して、ステップＳ２２で取得した水平ＢＥＲから、ステップＳ２７で取得した垂直ＢＥＲを引いた差を算出して、当該算出した差が所定の閾値よりも大きいか否かを判定する（ステップＳ２９）。
【００９０】
ステップＳ２９で、水平ＢＥＲから垂直ＢＥＲを引いた差が所定の閾値よりも大きくないと判定すると（ステップＳ２９；Ｎｏ）、ＣＰＵ１４１は、ステップＳ２１の処理に移行する。
【００９１】
一方、ステップＳ２９で、水平ＢＥＲから垂直ＢＥＲを引いた差が所定の閾値よりも大きいと判定すると（ステップＳ２９；Ｙｅｓ）、ＣＰＵ１４１は、アンテナ１は屋外に設置されていると判定し（ステップＳ３０）、当該判定結果を、ＲＡＭ１４２に記憶させた後、当該一のチャンネルにおけるループＡの処理を終了する（ステップＳ３１）。
【００９２】
次いで、アンテナ１及びチューナ１１０により受信可能な全てのチャンネルに対応するＴＶ放送信号に対して、ループＡの処理が終了すると（ステップＳ３１）、ＣＰＵ１４１は、設定プログラム１４３ｂ３を実行して、ＲＡＭ１４２に記憶されているループＡの処理における全ての判定の結果のうち、アンテナ１が屋外に設置されているとの判定結果の数が、アンテナ１が屋内に設置されているとの判定結果の数よりも多いか否かを判断する（ステップＳ３２）。
【００９３】
ステップＳ３２で、アンテナ１が屋外に設置されているとの判定結果の数の方が多いと判断すると（ステップＳ３２；Ｙｅｓ）、ＣＰＵ１４１は、ＲＯＭ１４３に記憶される屋外用受信プログラム１４３ａ１を設定し（ステップＳ３３）、本処理を終了する。
【００９４】
一方、ステップＳ３２で、アンテナ１が屋外に設置されているとの判定結果の数の方が少ないと判断すると（ステップＳ３２；Ｎｏ）、ＣＰＵ１４１は、ＲＯＭ１４３に記憶される屋内用受信プログラム１４３ａ２を設定し（ステップＳ３４）、本処理を終了する。
【００９５】
そして、当該受信プログラム設定処理を含むＳＴＢ１００における初期設定に関する処理が終了して、ＳＴＢ１００における通常動作に移行すると、ＣＰＵ１４１は、制御プログラム１４３ｂ４を実行して、ステップＳ３３で設定された屋外用受信プログラム１４３ａ１又はステップＳ３４で設定された屋内用受信プログラム１４３ａ２により、アンテナ１及びチューナ１１０によるＴＶ放送信号の受信を制御する。
【００９６】
以上説明した本発明のＳＴＢ１００が備えるアンテナシステムＳによれば、水平偏波及び垂直偏波に対応したアンテナ１を有するデジタル方式のＴＶ放送信号を受信するアンテナシステムＳ（アンテナ１を有するチューナ１１０、制御部１４０）を備え、ＲＯＭ１４３によって、アンテナ１が屋外に設置された際に、アンテナシステムＳによりＴＶ放送信号を受信するための屋外用受信プログラム１４３ａ１と、アンテナ１が屋内に設置された際に、アンテナシステムＳによりＴＶ放送信号を受信するための屋内用受信プログラム１４３ａ２と、を記憶することができ、取得プログラム１４３ｂ１を実行したＣＰＵ１４１によって、アンテナシステムＳにより受信可能な所定数のチャンネルに対応するＴＶ放送信号毎に、アンテナ１を水平偏波受信モード又は垂直偏波受信モードに設定して、各モードにおけるアンテナシステムＳによるＴＶ放送信号の受信情報を取得することができ、判定プログラム１４３ｂ２を実行したＣＰＵ１４１によって、取得プログラム１４３ｂ１を実行したＣＰＵ１４１により取得された水平偏波受信モード又は垂直偏波受信モードにおける受信情報に基づいて、アンテナ１が、屋外に設置されているか、或いは、屋内に設置されているかを判定することができ、設定プログラム１４３ｂ３を実行したＣＰＵ１４１
によって、取得プログラム１４３ｂ１を実行したＣＰＵ１４１により取得された所定数のチャンネルに対応するＴＶ放送信号の受信情報に基づいて得られた判定プログラム１４３ｂ２を実行したＣＰＵ１４１による判定の結果のうち、アンテナ１が屋外に設置されているとの判定結果の数が、アンテナ１が屋内に設置されているとの判定結果の数よりも多い場合には、ＲＯＭ１４３に記憶される屋外用受信プログラム１４３ａ１を設定すると共に、アンテナ１が屋内に設置されているとの判定結果の数が、アンテナ１が屋外に設置されているとの判定結果の数よりも多い場合には、ＲＯＭ１４３に記憶される屋内用受信プログラム１４３ａ２を設定することができ、制御プログラム１４３ｂ４を実行したＣＰＵ１４１によって、設定プログラム１４３ｂ３を実行したＣＰＵ１４１により設定された屋外用受信プログラム１４３ａ１又は屋内用受信プログラム１４３ａ２により、アンテナシステムＳによるＴＶ放送信号の受信制御を行うことができる。したがって、アンテナ１の設置場所が、屋外であるか、或いは、屋内であるかを自動的に設定することができるため、ユーザ等の負担を軽減することができる。また、数多くの判定結果に基づいて、アンテナ１の設置場所を判定するため、正確にアンテナ１の設置場所を判定することができる。さらに、アンテナ１の設置場所に応じた最適な受信プログラム（屋外用受信プログラム１４３ａ１又は屋内用受信プログラム１４３ａ２）を設定して使用することができるため、アンテナ１の受信性能が向上する。
【００９７】
また、取得プログラム１４３ｂ１を実行したＣＰＵ１４１により取得される受信情報は、アンテナ１を水平偏波受信モード又は垂直偏波受信モードに設定して、アンテナシステムＳによりＴＶ放送信号が受信された際に取得される受信可能情報と、アンテナ１を水平偏波受信モードに設定して受信可能情報を取得した際に、アンテナシステムＳにより受信されたＴＶ放送信号から取得される水平ＢＥＲと、アンテナ１を垂直偏波受信モードに設定して受信可能情報を取得した際に、アンテナシステムＳにより受信されたＴＶ放送信号から取得される垂直ＢＥＲと、を含み、判定プログラム１４３ｂ２を実行したＣＰＵ１４１によって、取得プログラム１４３ｂ１を実行したＣＰＵ１４１によりアンテナ１が水平偏波受信モードに設定された際にのみ受信可能情報が取得され、且つ、取得プログラム１４３ｂ１を実行したＣＰＵ１４１により取得された水平ＢＥＲが所定値よりも大きいと判断された場合には、アンテナ１は屋外に設置されていると判定し、取得プログラム１４３ｂ１を実行したＣＰＵ１４１によりアンテナ１が垂直偏波受信モードに設定された際にのみ受信可能情報が取得され、且つ、取得プログラム１４３ｂ１を実行したＣＰＵ１４１により取得された垂直ＢＥＲが所定値よりも大きいと判断された場合には、アンテナ１は屋内に設置されていると判定し、取得プログラム１４３ｂ１を実行したＣＰＵ１４１によりアンテナ１が水平偏波受信モードに設定された際及び垂直偏波受信モードに設定された際に受信可能情報が取得され、且つ、取得プログラム１４３ｂ１を実行したＣＰＵ１４１により取得された水平ＢＥＲ及び垂直ＢＥＲが所定値よりも大きいと判断された場合には、当該取得された水平ＢＥＲから当該取得された垂直ＢＥＲを引いた差を算出して、当該算出した差が所定の閾値よりも大きい場合は、アンテナ１は屋外に設置されていると判定し、当該算出した差が所定の閾値以下の場合は、アンテナ１は屋内に設置されていると判定することができる。すなわち、アンテナシステムＳがＴＶ放送信号を受信したか否かの実地検査に基づいて、さらに、デジタルテレビジョン放送を良好に視聴することができるか否かに関わるビットエラーレート（水平ＢＥＲ及び垂直ＢＥＲ）に基づいて、アンテナ１の設置場所を判定するため、より正確にアンテナ１の設置場所を判定することができる。
【００９８】
なお、本発明は、上記した実施の形態のものに限るものではなく、その要旨を逸脱しない範囲で適宜変更可能である。
【００９９】
テレビジョン受像機は、ＳＴＢ１００の限りではなく、アンテナシステムＳを備える好適なテレビジョン受像機であれば任意である。
【０１００】
アンテナ１の設置場所の判定方法は、水平偏波受信モード又は垂直偏波受信モードにお
ける受信情報に基づいて、好適にアンテナ１の設置場所が判定されるのであれば任意である。
【０１０１】
また、アンテナ１の設置場所の判定を受信可能な全てのチャンネルにおいて行うようにしたが、この限りではなく、判定の数は、正確に受信プログラムを設定することができるのであれば任意である。
【０１０２】
また、設定する受信プログラムを、屋外に設置されているとの判定結果と屋内に設置されているとの判定結果との多数決により決定するようにしたが、この限りではなく、受信プログラムの決定方法は、屋外に設置されているとの判定結果と屋内に設置されているとの判定結果とを用いて、正しく決定することができるのであれば任意である。
【０１０３】
受信プログラム設定処理（図３）において、水平偏波受信モードに設定した後に、垂直偏波受信モードを設定するようにしたが、逆でもよい。
【０１０４】
また、受信プログラム設定処理はＳＴＢ１００における初期設定に関する処理に含まれるとしたが、この限りではなく、受信プログラム設定処理を行うタイミングは、好適なタイミングであれば任意である。また、ユーザによるＳＴＢ１００用のリモートコントローラ（図示省略）などの操作により、ＣＰＵ１４１に、ユーザ所望のタイミングで受信プログラム設定処理を行うよう指示するようにしてもよい。
【図面の簡単な説明】
【０１０５】
【図１】本実施の形態におけるアンテナシステムを構成するアンテナの本体の内部構造を説明するための図である。
【図２】本実施の形態におけるＳＴＢの機能的構成を示すブロック図である。
【図３】ＳＴＢによる受信プログラムの設定に関する処理を説明するためのフローチャートである。
【符号の説明】
【０１０６】
１  アンテナ（アンテナシステム）
１００  ＳＴＢ（テレビジョン受像機）
１１０  チューナ（アンテナシステム）
１４０  制御部（アンテナシステム）
１４１  ＣＰＵ（取得手段、判定手段、設定手段、制御手段）
１４３  ＲＯＭ（記憶手段）
１４３ａ１  屋外用受信プログラム
１４３ａ２  屋内用受信プログラム
１４３ｂ１  取得プログラム（取得手段）
１４３ｂ２  判定プログラム（判定手段）
１４３ｂ３  設定プログラム（設定手段）
１４３ｂ４  制御プログラム（制御手段）
２００  出力装置
Ｓ  アンテナシステム
【図１】
2007089070.tif 000003
【図２】
2007089070.tif 000004
【図３】
2007089070.tif 000005